(57)【要約】【課題】  股間を敏速且つ充分に広く解放できるようにして、用足しを容易ならしめるパンツを提供する【解決手段】  少なくとも、身体の腰周りを覆う腰周り部１０と、身体の左腹部を覆う左身項２０の左腹部部材２１、身体の右腹部を覆う右身項３０の右腹部部材３１、左裾部２２、右裾部３２、股下部材および身体の後部を覆う後身項５０の左尻周りを覆う左尻周り部部材５１および右尻周りを覆う右尻周り部部材５２からなるパンツであって、左腹部部材２１、右腹部部材３１、股下部部材４０および右尻回り部材５２に渡って身体の左右方向に開閉可能な開閉項６０を設け、緊急屎尿排泄時に有効なパンツにする。【選択図】図１
2009270240.tif 000002
【特許請求の範囲】
【請求項１】
少なくとも、身体の腰周りを覆う腰周り部と、身体の左腹部を覆う左身項の左腹部部材と、身体の右腹部を覆う右身項の右腹部部材と、左裾部、右裾部、股下部部材および身体部を覆う後身を覆う後身項の左尻周りを覆う左尻周り部部材および右尻周りを覆う右尻周り部部材からなるパンツであって、前記左腹部部材、右腹部部材、股下部部材および右尻回り部部材に渡って身体の左右方向に開閉可能な開閉項を設けて構成したことを特徴とするパンツ。
【請求項２】
前記開閉項は、前記左腹部部材と前記股下部部材および前記左尻周り部部材に渡って取り付けられ身体の左方向に開閉可能な左開閉部材と、前記右腹部部材と股下部部材に取り付けられ身体の右方向に開閉可能な右開閉部材によって構成されていることを特徴とする、請求項１に記載のパンツ。
【請求項３】
前記左開閉部材と右開閉部材に、当該左開閉部材と右開閉部材とを開閉可能に係合する係合部材を設けて構成したことを特徴とする、請求項２に記載のパンツ。
【発明の詳細な説明】
【技術分野】
【０００１】  本発明は、下半身用衣服に係り、特に緊急屎尿排泄にあたって有効な肢体の下半身肢体用のパンツに関するものである。
【背景技術】
【０００２】  一般に、肢体用衣服として、上半身用衣服と下半身衣服が着用されているが、特に下半身用衣服としては腰周りの下着と当該下着の上にカバー（着用）する衣服が着用される。従って、屎尿排泄時にはカバー用衣服と腰周り下着を該腰周りから脱衣して屎尿排泄が実行されることになる。【０００３】  しかるに、屎尿排泄にあたって、上記カバー用衣服と下着を脱衣して便器を跨ぐか便座に着席する必要があり面倒である。特に、高齢者や身体障害者の場合は極めて厄介なものになる。
【発明の開示】
【発明が解決しようとする課題】
【０００４】  しかし、従来の衣服形式では、高齢者の場合または下痢症状の場合は緊急屎尿排泄に迫られると漏尿などの問題が生じる危険性がある。即ち、尿漏とっは、失禁あるいは頻尿により排尿準備行動が間に合わず排尿に至る症状であり、従来よりその症状に適応した大人用の紙おむつなどが開発されている。上記した症状の性格から、介護される人あるいは高齢者の症状というイメージが定着しているが、近時それとは別に男女を問わず、若年層あるいは中年層においても、トイレに再々行けない状況下での尿意の我慢、冷房等での膀胱炎症状、あるいは産前、産後の体調不良などの各々の生活環境に起因した少量の尿漏れを経験する者も多く、その対策が必要とされている。また、健康な人でも、多回数トイレに行く人、車に長時間乗車する人やゴルフプレイ中の人にとっても、急に屎尿排泄を感じて緊急屎尿排泄が必要な場合がある。【０００５】  本発明は、上記の課題に鑑みてなされたもので、その目的は股間を敏速且つ充分に広く解放できるようにして、用足しを容易ならしめるパンツを提供することを目的とする。
【課題を解決するための手段】
【０００６】  本発明のパンツは、請求項１に記載の如く、少なくとも、身体の腰周りを覆う腰周り部材と、身体の左腹部を覆う左身項の左腹部部材、身体の右腹部を覆う右身項の右腹部部材と、左裾部、右裾部、股下部部材および身体の後部を覆う後身項の左尻周りを覆う左尻周り部部材および右尻周りを覆う右尻周り部部材からなるパンツであって、前記左腹部部材と、右腹部部材と、股下部部材および右尻回り部部材に渡って身体の左右方向に開閉可能な開閉項を設けて構成したことを特徴とする。【０００７】  また、本発明のパンツは、請求項２に記載の如く、前記開閉項は、前記左腹部部材と前記股下部部材および前記左尻周り部部材に渡って取り付けられ身体の左方向に開閉可能な左開閉部材と、前記右腹部部材と股下部部材に取り付けられ身体の右方向に開閉可能な右開閉部材によって構成されていることを特徴とする。【０００８】  さらに、本発明のパンツは、請求項３に記載の如く、前記左開閉部材と右開閉部材に、当該左開閉部材と右開閉部材とを開閉可能に係合する係合部材を設けて構成したことを特徴とする。
【発明の効果】
【０００９】  本発明によれば、肢体の前腹部を覆う前身項と股下部を覆う股下項および後腹部を覆う後身項に渡って開閉項を設け、緊急屎尿排泄時に開閉項を容易に開閉可能にしたから、高齢者の場合や下痢症状の場合に緊急屎尿排泄に迫られるとき、近時それとは別に男女を問わず、若年層あるいは中年層においても、トイレに再々行けない状況下の人、健康な人でも、多回数トイレに行く人、車に長時間乗車する人やゴルフプレイ中の人にとっても、急に屎尿排泄を感じて緊急屎尿排泄が必要な場合に有用である。
【発明を実施するための最良の形態】
【００１０】  以下に、図面を参照しながら本発明の実施の形態による下半身用下着について説明する。図１は本発明の実施の形態によるパンツの正面図、図２は当該パンツの背面図、図３は当該パンツの展開図であり、これらの図面において対応する部分には同一符号を付している。パンツ（下着）は、身体の下半身に着用され、概略、腰周り部１０、左腹部を覆う左身項２０、右腹部を覆う右身項３０、股下部を覆う股下部を覆う股下項４０、尻周り部を覆う後身項５０、およびこれらの左身項２０、右身項３０、股下項４０および後身項５０に渡って設けられた開閉項６０からなる。即ち、パンツは、左身項２０の左腹部部材２１、右身項３０の右腹部部材３１、股下項４０の股下部部材４１および後身項５０の尻回り部部材５１によって構成される。また、左身項２０には左裾部２２が形成され、右身項３０には右裾部３２が形成される。なお、この明細書において、左右あるいは前後などの記載は、着用者にとって左右方向あるいは前後を意味する。【００１１】  本発明の最も特徴とするところは、前述のように、左身項２０、右身項３０、股下項４０、後身項５０に渡って開閉項６０を設けたことである。この開閉項６０は、図３に示すように、左身項２０の左腹部部材２１、右身項３０の右腹部部材３１、股下項４０の股下部材４１および後身項５０の左尻周り部部材５１と右尻周り部部材５２に渡って開閉項６０が設けられている。当該開閉項６０は、左開閉部材６１と右開閉部材６２からなる。左開閉部材６１は左腹部部材２１、股下部部材４１、左尻周り部部材５１に渡って縫付けられており、右開閉部材６２は右腹部部材３１、股下部部材４２および右尻周り部部材に縫付けられている。【００１２】  左開閉部材６１の開閉端部６１ａと右開閉部材６２の開閉端部６２ａとは、パンツの中央部でオーバラップしている。着用者が、便器（図示せず）を跨ぐか、若しくは便器に着座すると、左腹部部材２１、股下部部材４１、左尻周り部部材５１の各部材に左方向の引っ張り力がかかると共に、右腹部部材３１、股下部部材４２および右尻周り部部材５２の各部材に右方向の引っ張り力がかかり、開閉項６０の左開閉部材６１と右開閉部材６２が左右方向に自動的に開く。従って、着用者は、パンツを各腹部、股下部、および尻周り部から脱ぐことなく、即座に用足しができることになる。【００１３】  腰周り部１０は、例えば、ゴム繊維などを織り込んで伸縮性あるいは弾力性を大きくした帯状部材１１によって構成されて、身体の腰部を一周し得る長さと上下方向の幅とを有している。左身項２０、右身項３０、股下項４０および後身項５０は着圧可能な素材、具体的には、ポリウレタン系を含むニットによって製作される。従って、パンツは着用者の体にフィットし太股などもサポートする着圧式のものであり、これにより、体側は圧迫されない。なお、パンツ１０の布地の腰回り部を折りかえして袋状態とし、これにゴムひもを通して縫い合わせ、帯状部を構成しても良い。【００１４】  左腹部部材２１は、腰回り部と身体の左足大腿部が位置する左裾部２２及び身体の股下が位置する股下部４０との間の布地が該当し、身体の腹部中央から左腹部を覆っている。右腹部部材３１は、腰回り部と身��の右足大腿部が位置する右裾部及び身体の股下が位置する股下項３２との間の布地が該当し、身体の腹部中央から右腹部を覆っている。尻回り部部材はパンツの後側の腰回り部５０と左裾部２２及び股下部３０との間の布地が該当する。なお、パンツを構成する各部材は１つ又はそれ以上の布地を縫合して構成することができ、また、１つの布地で構成することができる。【００１５】  図４及び図５は、本発明の第２実施形態を示し、図４および図５において、図１から図３の部材と同一部材または相当する部分には同一符号を付している。第２実施形態のパンツでは、図４に示すように、係合手段７０が設けられている。係合手段７０としては、当該パンツの表側において左身項２０の左腹部部材２１と開閉項６０の左開閉部材６１に渡って係合部材としての面ファスナー７１を設け、右身項３０の右腹部部材３１および開閉項６０の右開閉部材６２に渡って該面ファスナー７１と着脱自在に係合する面ファスナー７２が設けられている。【００１６】  面ファスナー７１の一端部７１ａは左腹部部材３１に縫合固定され、面ファスナー７２の一端部７２ａは右身項３０の３１に縫合されている。面ファスナー７１の他端部７１ｂと面ファスナー７２の他端部７２ｂとは着脱自在に係合するようになっている。また、面ファスナーの代わりにマジックテープでも良い。なお、面ファスナーは商品名であり、マジックテープは登録商標である。【００１７】左身項２０、右身項３０、股下項４０および後身項４０は、弾力性若しくは伸縮性に富んだ材料からなり、着圧可能な素材、具体的には、ポリウレタン系を含むニットによって製作される。常時は面ファスナー７１と７２は係合しており、開閉項６０の左開閉部材６１と右開閉部材６２は閉じている。面ファスナー７１と７２を離脱させると、左開閉部材６１の他端部６１ａと右開閉部材６２の他端部６２ａが自由端となり左身項２０、右身項３０、股下項４０及び後身後５０の各張力により、開閉項６０が自動的に開き男性の緊急尿排泄時に有効であることはもとより、便器を跨ぐか便器に着座しての緊急屎尿排泄時に有効である。【００１８】  また、他の実施の態様として、係合手段７０として図５に示すように、左開閉部材６１の開閉端部６１ａに面ファスナー７３ａを接着面が前向きになるように取り付け、右開閉部材６２の開閉端部６２ａに面ファスナー７３ｂを接着面が後ろ向になるように取り付けられている。常時は面ファスナー７３ａと面ファスナー７３ｂを係合させて開閉項６０を閉じている。用足し時には面ファスナー７３ａと面ファスナー７３ｂを離脱させて開閉項０を開く。【００１９】  面ファスナー７３ａと７３ｂを離脱させると、左身項２０と股下項４０および後身項５０の張力により左開閉項６１は左方向に開き、右身項３０と股下項４０および後身項５０の張力により右開閉項６２は右方向に開く。かくして、前述したように、開閉項６０が自動的に開き男性の緊急尿排泄時に有効であることはもとより、便器を跨ぐか便器に着座しての緊急屎尿排泄時に有効である。
【図面の簡単な説明】
【００２０】
【図１】は本発明の第１の実施の形態（第１実施例）によるパンツの正面図である。
【図２】は図１に示すパンツの背面図である。
【図３】は本発明の図１と図２に示すパンツの展開図である。
【図４】は、係合手段設けた、本発明の第２実施例によるパンツの正面図である。
【図５】は図４に示すパンツの他の実施の態様を示す要部の拡大図である。
【符号の説明】
【００２１】  １０は腰周り部、２０は左身項、２１は左腹部部部材、３０は左身項、３１は右腹部部材、４０は股下項、５０は後身項、５１は左尻周り部部材、５２は右尻周り部材、６０は開閉項、６１は左開閉部材、６２は右開閉部材、７０は開閉手段、７１，７２，７３は係合部材としての面ファスナーである。
【図１】
2009270240.tif 000003
【図２】
2009270240.tif 000004
【図３】
2009270240.tif 000005
【図４】
2009270240.tif 000006
【図５】
2009270240.tif 000007